(57)【要約】【課題】少ない部品数で端子位置を規制できる分割コネクタを得、ガタツキの排除により位置決め精度、及び保持強度を向上させる。【解決手段】分割コネクタ１００において、本体前部２９から電気接触部３１が突出し本体後部３３に電線１５が圧着される端子１７と、内部に挿入された端子１７を、端子係止片を係止して装着し前端より本体前部２９を突出させるインナーハウジング１１と、後部から内部に挿入されたインナーハウジング１１を、可撓係止片を係止して装着するアウターハウジング１３と、アウターハウジング１３の内部に設けられ電気接触部３１を挿通する接触部挿通孔を有する端子位置決め規制壁と、接触部挿通孔に対応して端子位置決め規制壁の後面に突設され本体前部２９を包囲して位置決めする前部位置決め枠と、を設けた。【選択図】図１
2010135147.tif 000002
【特許請求の範囲】
【請求項１】
本体前部から電気接触部が突出し本体後部に電線が圧着される端子と、
内部に挿入された該端子を、端子係止片を係止して装着し前端より前記本体前部を突出させるインナーハウジングと、
後部から内部に挿入された該インナーハウジングを、可撓係止片を係止して装着するアウターハウジングと、
該アウターハウジングの内部に設けられ前記電気接触部を挿通する接触部挿通孔を有する端子位置決め規制壁と、
前記接触部挿通孔に対応して該端子位置決め規制壁の後面に突設され前記本体前部を包囲して位置決めする前部位置決め枠と、
を具備したことを特徴とする分割コネクタ。
【請求項２】
請求項１記載の分割コネクタであって、
前記前部位置決め枠が、前記端子係止片の係止解除空間に挿入され該端子係止片の係止解除方向への変位を規制する係止片規制底板を有することを特徴とする分割コネクタ。
【請求項３】
請求項２記載の分割コネクタであって、
離間した一対の前記係止規制底板が、前記端子係止片の下面における両側に挿入されることを特徴とする分割コネクタ。
【請求項４】
請求項２又は請求項３記載の分割コネクタであって、
前記端子係止片が、インナーハウジング挿入方向に向かって徐々に薄厚となる傾斜面を有し、該傾斜面を介して前記係止片規制底板に接触することを特徴とする分割コネクタ。
【発明の詳細な説明】
【技術分野】
【０００１】
本発明は、ハウジング構成部材が複数に分割される分割コネクタに関する。
【背景技術】
【０００２】
車両などの配線に用いられるコネクタには、ハウジング構成部材を複数に分割し、端子を位置決めするようにした分割コネクタがある（例えば特許文献１参照）。このコネクタ５００は、図１２に示すように、端子５０１を装着するインナーハウジング５０３と、インナーハウジング５０３を後部から装着するアウターハウジング５０５と、アウターハウジング５０５の前部に装着されるフロントホルダ５０７と、を備えてなる。
【０００３】
図１３（ａ）に示すように、端子５０１を装着したインナーハウジング５０３がアウターハウジング５０５の後部から挿入されると、突起５０９に、アウターハウジング５０５の可撓係止片５１１が係止してインナーハウジング５０３の離脱が規制される。インナーハウジング５０３を装着した後、本係止作業にて、アウターハウジング５０５の前部からフロントホルダ５０７が挿入されると、図１３（ｂ）に示すように、フロントホルダ５０７に形成された嵌合孔５１３が端子５０１の本体部５１５における前部に嵌合し、端子５０１の先端を位置決めすることができた。
【特許文献１】特開平１１−８６９４８号公報
【発明の開示】
【発明が解決しようとする課題】
【０００４】
しかしながら、従来の分割コネクタ５００は、ハウジング構成部材が、インナーハウジング５０３、アウターハウジング５０５、フロントホルダ５０７の３つの部材からなるため、各部材の製造公差が積み上げられると、構成部品同士の間でガタツキの生じ易くなる不利があった。すなわち、インナーハウジング５０３とアウターハウジング５０５にδ１のガタがあり、アウターハウジング５０５とフロントホルダ５０７にδ２のガタがある場合、端子５０１とフロントホルダ５０７には最大で（δ１＋δ２）のガタが積み上げられることがある。このような累積的なガタが発生している端子の位置決め構造では、電線を介して端子５０１にテンションが加わると、端子５０１に変形が生じたり、図１３（ｂ）に破線で示すように、端子先端の電気接触部５１７の位置にバラツキの生じる虞があった。また、複数の分割部材にて端子５０１を保持するため、十分な保持強度が確保し難い不利もあった。
本発明は上記状況に鑑みてなされたもので、少ない部品数で端子位置を規制できる分割コネクタを提供し、もって、ガタツキの排除による位置決め精度、及び保持強度の向上を図ることを目的とする。
【課題を解決するための手段】
【０００５】
本発明に係る上記目的は、下記構成により達成される。
（１）  本体前部から電気接触部が突出し本体後部に電線が圧着される端子と、
内部に挿入された該端子を、端子係止片を係止して装着し前端より前記本体前部を突出させるインナーハウジングと、
後部から内部に挿入された該インナーハウジングを、可撓係止片を係止して装着するアウターハウジングと、
該アウターハウジングの内部に設けられ前記電気接触部を挿通する接触部挿通孔を有する端子位置決め規制壁と、
前記接触部挿通孔に対応して該端子位置決め規制壁の後面に突設され前記本体前部を包囲して位置決めする前部位置決め枠と、
を具備したことを特徴とする分割コネクタ。
【０００６】
この分割コネクタによれば、端子を装着したインナーハウジングがアウターハウジングに装着されると、インナーハウジングの前端から突出していた端子の本体前部が、アウターハウジングに設けられた前部位置決め枠にて位置決めされ、従来使用されていたフロントホルダを不要にし、少ない部品数で、ガタツキが無く、高強度の端子位置規制が可能となる。
【０００７】
（２）  （１）の分割コネクタであって、
前記前部位置決め枠が、前記端子係止片の係止解除空間に挿入され該端子係止片の係止解除方向への変位を規制する係止片規制底板を有することを特徴とする分割コネクタ。
【０００８】
この分割コネクタによれば、インナーハウジングがアウターハウジングに装着されると、アウターハウジングに設けられた係止片規制底板が、インナーハウジングの係止解除空間に進入し、端子係止片の係止解除方向の変位が規制され、端子が二重係止される。
【０００９】
（３）  （２）の分割コネクタであって、
離間した一対の前記係止規制底板が、前記端子係止片の下面における両側に挿入されることを特徴とする分割コネクタ。
【００１０】
この分割コネクタによれば、端子係止片の両側が、一対の係止片規制底板にて当接され、捩れ方向での変位の小さい、水平方向での規制が可能となり、二重係止の信頼性が高まる。また、離間部分に端子係止片の一部分を進入可能にできるので、その分の厚みを増やすことができ、高強度の端子係止片の形成が可能となる。
【００１１】
（４）  （２）又は（３）の分割コネクタであって、
前記端子係止片が、インナーハウジング挿入方向に向かって徐々に薄厚となる傾斜面を有し、該傾斜面を介して前記係止片規制底板に接触することを特徴とする分割コネクタ。
【００１２】
この分割コネクタによれば、インナーハウジングがアウターハウジングに挿入されると、端子係止片の傾斜面が係止片規制底板に徐々に乗り上げ、係止片規制底板から離反する方向、すなわち、端子により強く係止する方向に端子係止片が撓み、端子係止片の押圧によるより強固な端子固定が可能となる。
【発明の効果】
【００１３】
本発明に係る分割コネクタによれば、端子の本体前部を突出させて装着するインナーハウジングと、インナーハウジングを装着するアウターハウジングと、アウターハウジングの端子位置決め規制壁に突設され端子の本体前部を包囲して位置決めする前部位置決め枠と、を備えたので、従来使用されていたフロントホルダを廃止し、アウターハウジングに直接設けた前部位置決め枠を利用し、少ない部品数で端子位置を規制できる。この結果、ガタツキを排除し、端子の位置決め精度及び保持強度を向上させることができる。
【発明を実施するための最良の形態】
【００１４】
以下、本発明に係る分割コネクタの好適な実施の形態について図面を参照して説明する。
図１は本発明に係る分割コネクタの分解斜視図である。
本実施の形態による分割コネクタ１００は、ハウジングが、インナーハウジング１１とアウターハウジング１３とに２分割される。つまり、従来使用されていたフロントホルダ５０７（図１２参照）が廃止されている。インナーハウジング１１には、電線１５の圧着された端子１７が装着される。端子１７を装着したインナーハウジング１１は、アウターハウジング１３に装着される。
【００１５】
インナーハウジング１１の上面には仮係止孔１９と、その後方に、本係止孔２１とが設けられる。なお、本明細書においては、分割コネクタ１００の相手コネクタとの結合開口部２３側を前、その反対側を後として説明する。インナーハウジング１１の後部には上方に突出する一対の鍔部２５，２５が設けられ、鍔部２５，２５はアウターハウジング１３の装着部２７の後端面段部２７ａ，２７ａに当接する。
【００１６】
端子１７は、本体前部２９から電気接触部３１が突出し、本体後部３３に電線１５が圧着される。本実施の形態は、分割コネクタ１００が、小短冊（所謂タブ）状の電気接触部３１を有した雄端子１７を装着する雄コネクタである場合を例に説明するが、本発明は、雌端子を装着する雌コネクタにも適用できる。端子１７は、インナーハウジング１１の内部に装着されることで、電気接触部３１及び本体前部２９が前端の端子収容室開口３５から表出する。
【００１７】
アウターハウジング１３は、本体後部に上記の装着部２７を突設し、本体前部にフード部３９を突設する。フード部３９は、前面に、相手コネクタとの上記した結合開口部２３を開口させる。フード部３９の外周には複数のガイド突条４１や、相手コネクタとのロック用突起４３が突設される。
【００１８】
図２（ａ）は図１に示した分割コネクタの仮係止状態の分解斜視図、（ｂ）は本係止状態の斜視図である。
分割コネクタ１００は、図２（ａ）に示すように、アウターハウジング１３に仮係止された状態のインナーハウジング１１に、電線１５の圧着された端子１７が装着される。次いで、端子１７の装着されたインナーハウジング１１が、図２（ｂ）に示すように、鍔部２５，２５を装着部２７に当接する位置まで押し込まれることで、本係止された状態となる。後述するように、この本係止により、端子１７の本体前部２９が位置決めされ且つ端子１７が二重係止されることとなる。
【００１９】
図３はアウターハウジングの正面図である。
アウターハウジング１３のフード部３９の奥側には端子位置決め規制壁４５が形成され、端子位置決め規制壁４５は装着部２７の前部を塞いでいる。端子位置決め規制壁４５にはインナーハウジング１１に装着された複数の端子１７に対応して複数の接触部挿通孔４７が縦横に配設され、接触部挿通孔４７は電気接触部３１を貫通保持する。
【００２０】
図４は図３のＡ−Ａ断面図である。
インナーハウジング１１は、内部に挿入された端子１７を、端子係止片４９を係止して装着し、前端より本体前部２９を突出させる。アウターハウジング１３は、本係止状態において、後部から内部に挿入されたインナーハウジング１１の係止凸部５１に、可撓係止片５３を係止して離脱不能に装着する。この状態で、インナーハウジング１１から突出した電気接触部３１は、アウターハウジング１３に設けられた端子位置決め規制壁４５の接触部挿通孔４７に挿通される。
【００２１】
また、端子位置決め規制壁４５の後面には、接触部挿通孔４７に対応して前部位置決め枠５５が突設され、前部位置決め枠５５は本体前部２９を包囲して端子１７を位置決めする。
【００２２】
図５はインナーハウジングの正面図である。
インナーハウジング１１の前端には複数（本実施の形態では１３個）の端子収容室５７が開口される。各端子収容室５７の底部には、端子係止片４９が配設され、端子係止片４９は先端が図の上下方向に弾性変位可能となる。なお、図中、５９は鍔部２５の補強板、６１はガイド突条を示す。
【００２３】
図６は図５のＢ−Ｂ断面図である。
端子係止片４９は、端子収容室５７の前端よりも前方に突出する。つまり、インナーハウジング１１に収容された端子１７は、係止部６３（図４参照）よりも前方の本体前部２９が端子収容室５７から突出した状態となる。端子収容室５７から突出した本体前部２９は、インナーハウジング１１の前端外周に設けられた周壁６５に間隙を有して包囲される。
【００２４】
図７は他の断面線Ｃ−Ｃを表したアウターハウジングの正面図である。
先に説明した図４は、図３のＡ−Ａ断面、すなわち、アウターハウジング１３の上部中央とその右側にずれた接触部挿通孔４７を通る断面である。この断面により、図４に示したように、端子１７及び端子係止片４９は、水平方向（図３の左右方向）の中央部で断面となる。一方、図７に示した断面では、接触部挿通孔４７から少し図７の左側にずれることから、端子１７は本体前部２９が断面から外れた位置となり、電気接触部３１のみが表れ、端子係止片４９はその側部が表される。その断面を図８に示す。
【００２５】
図８は図７のＣ−Ｃ断面図である。
この断面図で表されるように、端子係止片４９の側部は、インナーハウジング挿入方向（矢印ａ方向）に向かって徐々に薄厚となる傾斜面６７を有する。この傾斜面６７は、端子係止片４９の両側に設けられている。
【００２６】
図９は図４のＤ−Ｄ断面図である。
端子１７は、端子収容室５７に収容された状態で、下部に配置された係止部６３が、インナーハウジング１１の端子係止片４９に係止される。端子係止片４９は、アウターハウジング１３の前部位置決め枠５５の底部に近接して配置されている。
【００２７】
図１０は図９のＥ部拡大図である。
アウターハウジング１３の前部位置決め枠５５には端子係止片４９の係止解除空間６９（図４参照）に挿入される係止片規制底板７１，７１が形成され、係止片規制底板７１は端子係止片４９の係止解除方向への変位を規制する。すなわち、インナーハウジング１１がアウターハウジング１３に装着されると、アウターハウジング１３に設けられた係止片規制底板７１が、インナーハウジング１１の係止解除空間６９に進入し、端子係止片４９の係止解除方向（図１０の下方向）の変位が規制され、その結果、端子１７が二重係止されるようになっている。
【００２８】
端子係止片４９は、図８に示した傾斜面６７を介して係止片規制底板７１に接触する。インナーハウジング１１がアウターハウジング１３に挿入されると、端子係止片４９の傾斜面６７が図８に示すように、係止片規制底板７１に徐々に乗り上がる。係止片規制底板７１に傾斜面６７が乗り上がることで、係止片規制底板７１から離反する方向、すなわち、端子１７により強く係止する方向（図１０の矢印ｂ方向）に端子係止片４９が撓み、端子係止片４９の押圧によるより強固な端子固定が可能となっている。
【００２９】
また、本実施の形態では、図１０に示すように、離間した一対の係止片規制底板７１，７１が、端子係止片４９の下面における両側に挿入される。端子係止片４９の両側が、一対の係止片規制底板７１，７１にて当接され、捩れ方向で変位の小さい、水平方向での規制が可能となり、二重係止の信頼性が高まる。また、離間部分に端子係止片４９の一部分７３を進入可能にできるので、その分の厚みを増やすことができ、高強度の端子係止片４９の形成が可能となる。
【００３０】
次に、上記のように構成した分割コネクタ１００の作用を説明する。
図１１（ａ）はインナーハウジングの仮係止状態の断面図、（ｂ）はその本係止状態の断面図、（ｃ）はその要部拡大図である。
分割コネクタ１００は、図１１（ａ）に示すように、インナーハウジング１１がアウターハウジング１３に挿入され、可撓係止片５３がインナーハウジング１１の仮係止孔１９に係止した仮係止状態で、端子１７が装着される。なお、端子１７は、インナーハウジング１１をアウターハウジング１３に仮係止する前に、インナーハウジング１１に装着することもできる。
【００３１】
端子１７を装着したインナーハウジング１１がアウターハウジング１３に仮係止されたなら、次いで、図１１（ｂ）に示すように、インナーハウジング１１をアウターハウジング１３にさらに押し込む。インナーハウジング１１が最終位置まで押し込まれると、図１１（ｃ）に示すように、端子位置決め規制壁４５の接触部挿通孔４７に、電気接触部３１が基端まで挿通され、電気接触部３１の振れが規制される。同時に、端子１７の本体前部２９が端子位置決め規制壁４５に設けられた前部位置決め枠５５に嵌合し、端子１７の全体がアウターハウジング１３に直接高強度に位置決め保持される。
【００３２】
これに加え、インナーハウジング１１の係止解除空間６９に図８に示した係止片規制底板７１，７１が進入し、端子係止片４９の係止解除方向の変位を規制する。つまり、端子１７は、係止部６３に係止した端子係止片４９が係止解除方向へ移動不能にロックされる二重係止状態となる。
【００３３】
このように、分割コネクタ１００では、端子１７を装着したインナーハウジング１１がアウターハウジング１３に装着されると、インナーハウジング１１の前端から突出していた端子１７の本体前部２９が、アウターハウジング１３に設けられた前部位置決め枠５５にて位置決めされ、従来使用されていたフロントホルダを不要にし、少ない部品数で、ガタツキが無く、高強度の端子位置規制が可能となる。
【００３４】
したがって、本実施の形態による分割コネクタ１００によれば、端子１７の本体前部２９を突出させて装着するインナーハウジング１１と、インナーハウジング１１を装着するアウターハウジング１３と、アウターハウジング１３の端子位置決め規制壁４５に突設され端子１７の本体前部２９を包囲して位置決めする前部位置決め枠５５と、を備えたので、従来使用されていたフロントホルダを廃止し、アウターハウジング１３に直接設けた前部位置決め枠５５を利用し、少ない部品数で端子位置を規制できる。この結果、ガタツキを排除し、端子１７の位置決め精度及び保持強度を向上させることができる。
【００３５】
また、仮係止状態のインナーハウジング１１を押し込むことにより、端子１７の二重係止を容易な組み付け作業で行うことができる。さらに、部品数が減ることにより、金型稼働時間を削減することができる。
【図面の簡単な説明】
【００３６】
【図１】本発明に係る分割コネクタの分解斜視図である。
【図２】（ａ）は図１に示した分割コネクタの仮係止状態の分解斜視図、（ｂ）は本係止状態の斜視図である。
【図３】アウターハウジングの正面図である。
【図４】図３のＡ−Ａ断面図である。
【図５】インナーハウジングの正面図である。
【図６】図５のＢ−Ｂ断面図である。
【図７】他の断面線を表したアウターハウジングの正面図である。
【図８】図７のＣ−Ｃ断面図である。
【図９】図４のＤ−Ｄ断面図である。
【図１０】図９のＥ部拡大図である。
【図１１】（ａ）はインナーハウジングの仮係止状態の断面図、（ｂ）はその本係止状態の断面図、（ｃ）はその要部拡大図である。
【図１２】従来の分割コネクタの分解斜視図である。
【図１３】（ａ）は図１２に示した分割コネクタのフロントホルダ装着部の断面図、（ｂ）はその要部拡大図である。
【符号の説明】
【００３７】
１１  インナーハウジング
１３  アウターハウジング
１５  電線
１７  端子
２９  本体前部
３１  電気接触部
３３  本体後部
４５  端子位置決め規制壁
４７  接触部挿通孔
４９  端子係止片
５３  可撓係止片
５５  前部位置決め枠
６７  傾斜面
６９  端子係止片の係止解除空間
７１  係止片規制底板
１００  分割コネクタ
ａ  インナーハウジング挿入方向
【図１】
2010135147.tif 000003
【図２】
2010135147.tif 000004
【図３】
2010135147.tif 000005
【図４】
2010135147.tif 000006
【図５】
2010135147.tif 000007
【図６】
2010135147.tif 000008
【図７】
2010135147.tif 000009
【図８】
2010135147.tif 000010
【図９】
2010135147.tif 000011
【図１０】
2010135147.tif 000012
【図１１】
2010135147.tif 000013
【図１２】
2010135147.tif 000014
【図１３】
2010135147.tif 000015